(57)【特許請求の範囲】
【請求項１】
画像形成ユニットを含む複数のユニットを備え、該複数のユニットが上下方向に重ね置き可能な画像形成装置において、
前記複数のユニットにはその下部に凹ませて形成した運搬用取っ手形状が設けられているとともに、最上位以外に置かれるユニットの上部にはその上方に置かれるユニットの取っ手形状に対応した位置に凹ませて形成した取っ手補助形状が設けられており、前記複数のユニットを重ねたとき、上側ユニットの取っ手形状と下側ユニットの取っ手補助形状とが合致されて取っ手高さが得られることを特徴とする画像形成装置。
【発明の詳細な説明】
【０００１】
【発明の属する技術分野】
本発明は、画像形成ユニットを含む複数のユニットを備え、該ユニットが上下方向に重ね置き可能な画像形成装置に関するものである。
【０００２】
【従来の技術】
複写機、ファクシミリ、プリンター等の画像形成装置において、複数サイズの用紙を予め備えて所望サイズの用紙を選択的に使用しようとするとき、複数の給紙部を設ける必要がある。
【０００３】
複数の給紙部を設けるには、機器自体に予め備えられているものもあるが、ユーザーが必要に応じて給紙ユニットをオプション等で購入し、図５に示すように、画像形成装置の下部に多段に重ねて設置することも多々行われている。このように、給紙等のユニットを多段に重ねるようにした画像形成装置では、各ユニットに運搬用としての取っ手が形成されている。この取っ手としては、ユニット下部の適所を凹ませて形成することが一般的である。
【０００４】
【発明が解決しようとする課題】
しかしながら、ユニット下部を凹ませた取っ手の場合、取っ手の高さ方向の幅が小さいとユニット設置時に指を挟んでしまうという問題がある。そのため、ある程度の幅を持つ取っ手形状を形成すると、取っ手が必要以上に目立ってしまうだけでなく、ユニット内部のスペースに制約を与えてしまうという問題があった。
【０００５】
本発明は、上記した従来の問題を解消し、ユニットに形成した取っ手形状がさほど目立たず、しかも指を挟むおそれの少ない画像形成装置を提供することを目的とする。
【０００６】
【課題を解決するための手段】
上記の目的を達成するため、本発明は、画像形成ユニットを含む複数のユニットを備え、該複数のユニットが上下方向に重ね置き可能な画像形成装置において、前記複数のユニットにはその下部に凹ませて形成した運搬用取っ手形状が設けられているとともに、最上位以外に置かれるユニットの上部にはその上方に置かれるユニットの取っ手形状に対応した位置に凹ませて形成した取っ手補助形状が設けられており、前記複数のユニットを重ねたとき、上側ユニットの取っ手形状と下側ユニットの取っ手補助形状とが合致されて取っ手高さが得られることを特徴としている。
【０００８】
【発明の実施の形態】
以下、本発明の実施の形態を添付図面に従って説明する。
図１は、本発明に係る画像形成装置の一例を示す斜視図である。
【０００９】
図１において、本例の画像形成装置はプリンターであって、符号１はプリンター本体を示す。プリンター本体１には、本例の場合２つの給紙ユニット２，３が設けられ、プリンター本体１は重なられた２つの給紙ユニット２，３上に設置されている。プリンター本体１、給紙ユニット２，３にはそれぞれの下部に運搬用として取っ手形状４，５，６がユニットを凹ませて形成されている。この取っ手形状４，５，６の高さ幅Ｌ１は、図１及び図２に示すように、さほど高いものでなく、例えば約１６ｍｍ程度である。
【００１０】
この程度の高さしかない取っ手形状４，５，６の場合、ユニットを降ろす際、指を挟む可能性がある。
そこで、本発明では上方に置かれるユニットの取っ手形状４，５，６の位置に対応した下方のユニットの位置に取っ手補助形状７，８がユニットを凹ませて形成されている。なお、この取っ手補助形状７，８は本例のプリンター本体１のように最上位に置かれることが決まっているユニットには設ける必要がない。
【００１１】
このように構成された画像形成装置は、ユニットを重ねたときに、取っ手形状４，５，６と取っ手補助形状７，８とが合致するので、その全体の高さ幅をＬ１よりも大きいＬにすることができる。すなわち、取っ手補助形状７，８の高さ幅をＬ２とすると、Ｌ＝Ｌ１＋Ｌ２となり、十分な高さ幅が得られる。なお、Ｌ２を約１０ｍｍとすると、Ｌは隙間分を含めて約２７ｍｍの幅になる。
【００１２】
かくして、取っ手補助形状７，８を設けたので、取っ手形状４，５，６を大きく取ることなく、十分な高さ幅の取っ手が得られる。しかも、取っ手形状４，５，６が大きくなって目立ち過ぎることがなく、ユニットの下部側だけに取っ手形状を設けた場合と比べて、ユニット内部におけるスペース上の制約も小さくなる。
【００１３】
ところで、各ユニットの底部にはゴム足と称される脚部１０が設けられており、この脚部１０の高さをＬ２と同等に設定すれば、図３に示すように、最下位に設置するユニットの取っ手形状６とテーブル１１の幅もＬを確保することができる。また、最下位以外の脚部１０はその下方ユニットに形成された凹みである脚受け(図示せず)内に着座し、この脚部１０と脚受けはユニット設置位置の位置決めの用もなしている。
【００１４】
また、上記取っ手形状４，５，６及び取っ手補助形状７，８は、図１と図４ないし図７に示すように、段差１３を設け、その段差１３に続けて設けられている。すなわち、取っ手形状４，５，６及び取っ手補助形状７，８は段差１３で１段落とし込んでから形成している。
【００１５】
このような段差１３を設けると、図示する例のように、２人でユニットを持つように、一側面に２ヶ所の取っ手形状を形成している場合、段差１３で２つの取っ手を１つにまとめることができ、外観の煩雑感を軽減することができる。
【００１６】
なお、取っ手形状４，５，６及び取っ手補助形状７，８が形成されるユニットは給紙ユニットのみに限定されず、反転ユニット、スキャナー等の任意のユニットに適用することができる。
【００１７】
【発明の効果】
請求項１の構成によれば、複数のユニットにはその下部に凹ませて形成した運搬用取っ手形状が設けられているとともに、最上位以外に置かれるユニットの上部にはその上方に置かれるユニットの取っ手形状に対応した位置に凹ませて形成した取っ手補助形状が設けられており、複数のユニットを重ねたとき、上側ユニットの取っ手形状と下側ユニットの取っ手補助形状とが合致されて取っ手高さが得られるので、取っ手形状を大きく取らなくとも十分な高さ幅の取っ手高さが得られる。しかも、取っ手形状が大きくなって目立ち過ぎることがなく、ユニットの下部側だけに取っ手形状を設けた場合と比べて、ユニット内部におけるスペース上の制約も少なくすることができる。
【図面の簡単な説明】
【図１】本発明に係る画像形成装置の一例を示す全体斜視図である。
【図２】図１のユニット重ね部分の側面図である。
【図３】テーブル上に置かれた最下位ユニットの側面図である。
【図４】ユニット重ね部分の側面図である。
【図５】図４のＶ−Ｖ線に従う断面図である。
【図６】図４のＶＩ−ＶＩ線に従う断面図である。
【図７】図４のＶＩＩ−ＶＩＩ線に従う断面図である。
【符号の説明】
１  プリンター本体
２，３  給紙ユニット
４，５，６  取っ手形状
７，８  取っ手補助形状
１３  段差
【図１】
0003667964.tif 000002
【図２】
0003667964.tif 000003
【図３】
0003667964.tif 000004
【図４】
0003667964.tif 000005
【図５】
0003667964.tif 000006
【図６】
0003667964.tif 000007
【図７】
0003667964.tif 000008